(57)【要約】本発明は記録媒体の複写防止情報管理方法に関する。１回記録可能な光ディスクまたは再記録可能な光ディスク等のような光ディスクのデータ領域に複写防止情報により暗号化したデータストリームを記録すると共に、前記複写防止情報とコンテンツ提供業者が設定したデジタル著作権管理情報（ＤＲＭ）を前記光ディスクのキーロッカー（Ｋｅｙ  Ｌｏｃｋｅｒ）内に共に記録する。光ディスクのデータストリームを再生する場合、前記デジタル著作権管理情報に含まれた再生許容時間、複写回数及び許容可否識別情報等によって、前記暗号化したデータストリームに対する再生または複写動作を制御する。したがって、インターネット等を介して伝送するデータファイルのようなコンテンツの不法複製を效率的に防止することができる。
2006524409.tif 000002
【特許請求の範囲】
【請求項１】
記録媒体の第１特定領域に記録されている複写防止情報を基礎にしてデータストリームを暗号化して、前記記録媒体のデータ領域に記録して；そして
前記データストリームに関するデジタル著作権管理情報を前記第１特定領域に記録することで構成される記録媒体の複写防止情報管理方法。
【請求項２】
前記記録媒体は１回記録可能な光ディスクまたは再記録可能な光ディスクであることを特徴とする、請求項１に記載の記録媒体の複写防止情報管理方法。
【請求項３】
前記デジタル著作権管理情報は前記データストリームに対する複写または再生を制御することを特徴とする、請求項１に記載の記録媒体の複写防止情報管理方法。
【請求項４】
前記デジタル著作権管理情報は前記データストリームに対する再生許容時間、複写回数、及び複写許容可否に関する情報であることを特徴とする、請求項３に記載の記録媒体の複写防止情報管理方法。
【請求項５】
前記データストリームはネットワークを介して受信されるデータファイルであることを特徴とする、請求項１に記載の記録媒体の複写防止情報管理方法。
【請求項６】
前記デジタル著作権管理情報は前記データファイルのヘッダー情報から読み出すことを特徴とする、請求項５に記載の記録媒体の複写防止情報管理方法。
【請求項７】
前記デジタル著作権管理情報は各データファイル別に区分されて記録されることを特徴とする、請求項５に記載の記録媒体の複写防止情報管理方法。
【請求項８】
前記記録媒体の第２特定領域には前記複写防止情報と前記デジタル著作権管理情報を復号化するためのヒドン・コードが記録されていることを特徴とする、請求項１に記載の記録媒体の複写防止情報管理方法。
【請求項９】
前記ヒドン・コードはビット対ビット複写方式により複製されない低周波成分を有するウォーブル形状であることを特徴とする、請求項８に記載の記録媒体の複写防止情報管理方法。
【請求項１０】
記録媒体の第１特定領域に記録されたデジタル著作権管理情報を確認する段階と；
前記確認されたデジタル著作権管理情報によって、前記第１特定領域に記録された複写防止情報を復号化する段階；及び
前記復号化された複写防止情報を利用して、前記記録媒体のデータ領域に暗号化して記録されたデータストリームを復号化する段階で構成される記録媒体の複写防止情報管理方法。
【請求項１１】
前記デジタル著作権管理情報は前記データストリームに対する複写または再生を制御することを特徴とする、請求項１０に記載の記録媒体の複写防止情報管理方法。
【請求項１２】
前記デジタル著作権管理情報はデータストリームに該当するデータファイル別に区分されて管理されることを特徴とする、請求項１１に記載の記録媒体の複写防止情報管理方法。
【請求項１３】
前記確認されたデジタル著作権管理情報で再生または複写しようとするデータファイルに関する内容が前記データファイルの再生または複写条件を満足する場合に限って、前記複写防止情報を復号化することを特徴とする、請求項１２に記載の記録媒体の複写防止情報管理方法。
【請求項１４】
前記データファイルに対する再生または複写動作が実行される場合、前記データファイルに関するデジタル著作権管理情報のうちから前記実行された再生または複写に関する項目を更新して、前記第１特定領域に代替記録する段階をさらに含むことを特徴とする、請求項１２に記載の記録媒体の複写防止情報管理方法。
【請求項１５】
前記複写防止情報と前記デジタル著作権管理情報は前記記録媒体の第２特定領域にビット対ビット複写方式により複製されない低周波成分を有するウォーブル形状で記録されたヒドン・コードにより復号化されることを特徴とする、請求項１０に記載の記録媒体の複写防止情報管理方法。
【請求項１６】
複写防止情報により暗号化したデータストリームが記録されるデータ領域；及び
前記複写防止情報と前記データストリームに関するデジタル著作権管理情報が記録される第１特定領域で構成されることを特徴とする記録媒体。
【請求項１７】
前記記録媒体は１回記録可能な光ディスクまたは再記録可能な光ディスクであることを特徴とする、請求項１６に記載の記録媒体。
【請求項１８】
前記デジタル著作権管理情報は前記データストリームに対する複写または再生を制御することを特徴とする、請求項１６に記載の記録媒体。
【請求項１９】
前記デジタル著作権管理情報はデータストリームに該当するデータファイル別に区分されて記録されることを特徴とする、請求項１６に記載の記録媒体。
【請求項２０】
前記複写防止情報と前記デジタル著作権管理情報を復号化するためのヒドン・コードが記録された第２特定領域をさらに含んで構成されることを特徴とする、請求項１６に記載の記録媒体。
【請求項２１】
前記複写防止情報とヒドン・コードは前記記録媒体を製造する過程で記録されることを特徴とする、請求項２０に記載の記録媒体。
【請求項２２】
前記ヒドン・コードはビット対ビット複写方式により複製されない低周波成分を有するウォーブル形状であることを特徴とする、請求項２０に記載の記録媒体。
【請求項２３】
記録媒体記録及び再生装置において、
前記記録媒体にデータを記録したり前記記録媒体からデータを読み出すピックアップ部と；
前記記録媒体の第１特定領域に暗号化して記録された複写防止情報を復号化する複写防止情報算出部と；
前記複写防止情報を利用して、前記記録媒体に記録されるデータを暗号化したり前記記録媒体から読み出されるデータを復号化するデータ処理部；及び
前記データに関するデジタル著作権管理情報を解析して更新し、前記デジタル著作権管理情報を根拠にして前記複写防止情報の復号化を制御するデジタル著作権管理情報モジュールを含んで構成されて、
ここで、前記記録媒体のデータ領域には前記複写防止情報により暗号化したデータストリームが記録されて、前記第１特定領域には前記データストリームに関するデジタル著作権管理情報が記録されることを特徴とする記録媒体記録及び再生装置。
【請求項２４】
前記デジタル著作権管理情報はデータストリームに対する複写または再生を制御することを特徴とする、請求項２３に記載の記録媒体記録及び再生装置。
【請求項２５】
前記デジタル著作権管理情報はデータストリームに該当するデータファイル別に区分されて記録されることを特徴とする、請求項２４に記載の記録媒体記録及び再生装置。
【請求項２６】
デジタル著作権管理情報が含まれたデータストリームを暗号化して前記データ領域に記録する場合、前記デジタル著作権管理情報モジュールでデータストリームに含まれたデジタル著作権管理情報を分離して更新し、前記ピックアップ部で前記更新されたデジタル著作権管理情報を前記記録媒体の第１特定領域にさらに記録することを特徴とする、請求項２３に記載の記録媒体記録及び再生装置。
【請求項２７】
前記デジタル著作権管理情報が含まれたデータストリームはネットワークを介して受信されるデータファイルであって、前記デジタル著作権管理情報は前記データファイルのヘッダー情報から読み出すことを特徴とする、請求項２６に記載の記録媒体記録及び再生装置。
【請求項２８】
前記記録媒体に記録されたデータストリームに該当するデータファイルを再生または複写する場合、前記ピックアップ部で前記データファイルに関するデジタル著作権管理情報を前記第１特定領域から読み出して、前記デジタル著作権管理情報モジュールでこれを解析して再生または複写条件を満足しているか確認して、前記データファイルの再生または複写条件が満足する場合に限って前記複写防止情報算出部で複写防止情報を復号化して、前記データ処理部で前記復号化された複写防止情報を利用して前記記録媒体のデータ領域から読み出されるデータストリームを復号化することを特徴とする、請求項２３に記載の記録媒体記録及び再生装置。
【請求項２９】
前記データファイルに対する再生または複写動作が実行される場合、前記デジタル著作権管理情報モジュールで前記データファイルに関するデジタル著作権管理情報のうちから前記実行された再生または複写に関する項目を更新して、前記ピックアップ部で前記更新されたデジタル著作権管理情報を前記第１特定領域に代替記録することを特徴とする、請求項２８に記載の記録媒体記録及び再生装置。
【請求項３０】
前記複写防止情報算出部では前記記録媒体の第２特定領域にビット対ビット複写方式により複製されない低周波成分を有するウォーブル形状で記録されたヒドン・コードを利用して前記複写防止情報と前記デジタル著作権管理情報を復号化することを特徴とする、請求項２３に記載の記録媒体記録及び再生装置。
【発明の詳細な説明】
【技術分野】
【０００１】
本発明は記録媒体の複写防止情報管理方法に係り、さらに詳細には１回記録可能な光ディスクまたは再記録可能な光ディスク等のような光ディスクのデータ領域に暗号化して記録されたＡ／Ｖデータを復号化するための複写防止情報（Ｃｏｐｙ  Ｐｒｏｔｅｃｔｉｏｎ  Ｉｎｆｏｒｍａｔｉｏｎ）の保安性を向上させるための方法に関する。
【背景技術】
【０００２】
一般的にデジタルビデオ及びオーディオデータを記録することができる光ディスク、例えばＣＤとＤＶＤが広く普及されて商用化されており、またＢＤ等のような高密度光ディスクの規格化作業が急速に進展するによって、関連製品が商用化されることと期待されている。
【０００３】
一方、前記のような光ディスクに記録されたデジタルビデオ及びオーディオデータのコンテンツ（Ｃｏｎｔｅｎｔｓ）を無断で不法複製することができないようにするために、複写防止情報により暗号化したＡ／Ｖデータを光ディスクのデータ領域に記録して、前記複写防止情報を光ディスクのリードイン領域等のような特定領域に記録して管理する方法が提案されているが、これに対して詳細に説明すると次のようである。
【０００４】
図１は一般的なＤＶＤの複写防止情報管理方法が適用される光ディスクドライブとアプリケーションに対する構成を示したものである。前記光ディスクドライブ２００には、認証部（Ａｕｔｈｅｎｔｉｃａｔｉｏｎ  Ｂｌｏｃｋ）２０、キー分配部（Ｋｅｙ  Ｓｈａｒｉｎｇ  Ｂｌｏｃｋ）２１、そして暗号化部（ＥｎｃｒｙｐｔｉｏｎＢｌｏｃｋ）２２、２３等で構成されることができる。
【０００５】
個人用コンピューター（ＰＣ）等のようなアプリケーション３００には、認証部３０、キー分配部３１、復号化部（Ｄｅｃｒｙｐｔｉｏｎ  Ｂｌｏｃｋ）３２、３３、ディスクランブル部（Ｄｅｓｃｒａｍｂｌｅ  Ｂｌｏｃｋ）３４、デコンプレッション部（Ｄｅｃｏｍｐｒｅｓｓｉｏｎ  Ｂｌｏｃｋ）３８、ディスクキー復号化部３６、そしてタイトルキー復号化部３７等で構成されることができる。
【０００６】
そして、前記光ディスクドライブ２００に挿入されるＤＶＤ  １００には、認証コントロールキー（Ａｕｔｈｅｎｔｉｃａｔｉｏｎ  Ｃｏｎｔｒｏｌ  Ｋｅｙ）、セキュアドディスクキー（Ｓｅｃｕｒｅｄ  Ｄｉｓｃ  Ｋｅｙ）、エンクリプティッドタイトルキー（Ｅｎｃｒｙｐｔｅｄ  Ｔｉｔｌｅ  Ｋｅｙ）、そしてスクランブルドＡ／Ｖデータ（Ｓｃｒａｍｂｌｅｄ  Ａ／Ｖ  Ｄａｔａ）が保存されることができる。
【０００７】
一方、前記光ディスクドライブの認証部２０では、前記ＤＶＤ  １００から読み出される認証コントロールキーを利用して、前記アプリケーションの認証部３０とのデータ送受信のための一連の認証過程を遂行するようになる。前記暗号化部２２、２３では、前記キー分配部２１から提供する所定の暗号化キーを利用して、前記ＤＶＤ  １００から読み出されるセキュアドディスクキーとエンクリプティッドタイトルキーをデータ送受信に適合なデータで再び暗号化して伝送するようになる。
【０００８】
そして、前記アプリケーションの復号化部３２、３３では、前記キー分配部３１から提供する所定の復号化キーを利用して、前記光ディスクドライブ２００から受信されるセキュアドディスクキーとエンクリプティッドタイトルキーを復号化する一連の動作を遂行するようになる。
【０００９】
一方、前記ディスクキーは前記アプリケーション３００内で管理されるマスターキー３５により復号化されて、前記タイトルキーは前記復号化されたディスクキーにより復号化されて、前記ディスクランブル部３４では、前記タイトルキーを利用して、ＤＶＤから読み出されるスクランブルドＡ／Ｖデータをディスクランブル処理するようになって、前記デコンプレッション部３８では、ディスクランブル処理されたＡ／Ｖデータを非圧縮処理して、本来のＡ／Ｖデータで出力するようになる。このような過程を介して、前記ＤＶＤにスクランブル処理されて記録されたオーディオ及びビデオデータのコンテンツが無断で不法複製されることを防止することができるようになる。
【００１０】
しかし、前記ＤＶＤに記録されたセキュアドディスクキーとエンクリプティッドタイトルキーのような複写防止情報がハッカー（Ｈａｃｋｅｒ）等のような第３者により不法的にハッキングされて流出される場合、前記ＤＶＤのデータ領域に暗号化して記録されたＡ／Ｖデータの不法複製が可能になる。したがって、複写防止情報の保安性をより強化させることができる効率的な解決方案の用意が急に要求されており、またインターネット等を介して伝送するコンテンツに対する不法複製を防止することができる効率的な解決方案の用意が急に要求されている実情である。
【発明の概要】
【００１１】
本発明は前記のような実情を勘案して創作されたものであって、本発明の目的は、複写防止情報の保安性をより強化して、インターネットを介して伝送するコンテンツに対する不法複製を效率的に防止することができて、デジタル著作権管理情報が含まれたコンテンツが記録された光ディスクの再生と複写を制御することができる方法を提供することにある。
【００１２】
前記のような目的を達成するための本発明による記録媒体の複写防止情報管理方法は、記録媒体の第１特定領域に記録されている複写防止情報を基礎にしてデータストリームを暗号化して、前記記録媒体のデータ領域に記録して；そして前記データストリームに関するデジタル著作権管理情報を前記第１特定領域に記録することで構成されることを特徴とする。
【００１３】
また、本発明の他の実施形態による記録媒体の複写防止情報管理方法は、記録媒体の第１特定領域に記録されたデジタル著作権管理情報を確認する段階と；前記確認されたデジタル著作権管理情報によって、前記第１特定領域に記録された複写防止情報を復号化する段階；及び前記復号化された複写防止情報を利用して、前記記録媒体のデータ領域に暗号化して記録されたデータストリームを復号化する段階で構成されることを特徴とする。
【００１４】
また、本発明による記録媒体は、複写防止情報により暗号化したデータストリームが記録されるデータ領域；及び前記複写防止情報と前記データストリームに関するデジタル著作権管理情報が記録される第１特定領域で構成されることを特徴とする。
【００１５】
また、本発明に他の記録媒体記録及び再生装置は、前記記録媒体にデータを記録したり前記記録媒体からデータを読み出すピックアップ部と；前記記録媒体の第１特定領域に暗号化して記録された複写防止情報を復号化する複写防止情報算出部と；前記複写防止情報を利用して、前記記録媒体に記録されるデータを暗号化したり前記記録媒体から読み出されるデータを復号化するデータ処理部；及び前記データに関するデジタル著作権管理情報を解析して更新し、前記デジタル著作権管理情報を根拠にして前記複写防止情報の復号化を制御するデジタル著作権管理情報モジュールを含んで構成されて、ここで、前記記録媒体のデータ領域には前記複写防止情報により暗号化したデータストリームが記録されて、前記第１特定領域には前記データストリームに関するデジタル著作権管理情報が記録されることを特徴とする。
【発明を実施するための最良の形態】
【００１６】
以下、本発明による記録媒体の複写防止情報管理方法に対する望ましい実施形態に対して、添付した図面を参照しながら詳細に説明する。
【００１７】
図２は本発明による記録媒体の複写防止情報管理方法が適用される光ディスクドライブに対する構成を示したものである。前記光ディスクドライブ５００には、復号化部（Ｄｅｃｒｙｐｔｉｏｎ  Ｂｌｏｃｋ）５０とキー計算部（Ｋｅｙ  Ｃａｌｃｕｌａｔｉｏｎ）５１、そしてＤＲＭモジュール（Ｄｉｇｉｔａｌ  Ｒｉｇｈｔ  Ｍａｎａｇｅｍｅｎｔ  Ｍｏｄｕｌｅ）５２が含まれることができる。
【００１８】
また、前記光ディスクドライブ５００に挿入される光ディスク４００には、複写防止情報、例えば暗号化したディスクキー（Ｄｉｓｃ  Ｋｅｙ）とコンテンツ提供業者が設定したデジタル著作権管理情報（ＤＲＭ）がキーロッカー（Ｋｅｙ  Ｌｏｃｋｅｒ）内に記録されると共に、前記ディスクキーとＤＲＭ情報を読み出し及び復号化するためのヒドン・コード（Ｈｉｄｄｅｎ  Ｃｏｄｅ）が光ディスクの特定領域に記録される。
【００１９】
前記ヒドン・コードは、前記光ディスク４００の特定領域、例えば光ディスクのリードイン領域（Ｌｅａｄ−Ｉｎ  Ａｒｅａ）のＰｒｅ−ｒｅｃｏｒｄｅｄ（またはＥｍｂｏｓｓｅｄ）Ａｒｅａに低周波成分を有する物理的なウォーブル（Ｗｏｂｂｌｅ）形状またはＷｏｂｂｌｅ  ｐｒｅ−ｐｉｔ  ｔｙｐｅ等で記録されて、ビット対ビット（Ｂｉｔ  ｔｏ  Ｂｉｔ）複写により不法複製されない。
【００２０】
前記ＤＲＭ情報は、前記光ディスクのデータ領域に暗号化して記録されたデータストリームに対する再生または複写動作を制御するための管理情報であって、例えば多様なコンテンツのデータファイルを提供するコンテンツ提供業者が、前記データファイルが不法複製されることを防止するために、再生許容時間、複写回数及び許容可否等を任意に指定する管理情報である。
【００２１】
そして、前記光ディスクドライブのキー計算部５１は、図３に示したように、ＤＲＭ検出部（ＤＲＭ  Ｄｅｔｅｃｔｉｏｎ）（未符号）と復号化部（Ｄｅｃｒｙｐｔｉｏｎ）（未符号）で構成されることができる。前記ＤＲＭ検出部と復号化部では、前記ヒドン・コードを利用して、前記キーロッカー内に記録されたＤＲＭ情報とディスクキーをそれぞれ検出及び復号化するようになる。前記復号化部では、前記ＤＲＭ検出部により検出されるＤＲＭ情報に基づいて、前記ディスクキーに対する復号化動作を選択的に遂行するようになる。例えば、前記ＤＲＭ情報内に設定された再生許容時間が現在時間を経過した場合、前記ディスクキーに対する復号化動作が遂行されなくなる。
【００２２】
前記ＤＲＭモジュール５２では、前記ＤＲＭ検出部で検出されるＤＲＭ情報を参照して、前記キー計算部５１の動作を制御したりまたは光ディスクドライブと連結される個人用コンピューターのようなアプリケーションでのデータ再生及び複写動作を制御するようになる。
【００２３】
そして、前記光ディスクドライブ５００は、図４に示したように、保安認証チャネル（ＳＡＣ：Ｓｅｃｕｒｅ  Ａｕｔｈｅｎｔｉｃａｔｅｄ  Ｃｈａｎｎｅｌ）７０を介して個人用コンピューターのようなアプリケーション６００とデータを送受信するようになって、前記アプリケーション６００には前記保安認証チャネルを介して受信されたＡ／ＶデータをデコーディングするためのＡ／Ｖデコーダー６０が含まれる。
【００２４】
一方、前記ＤＲＭモジュール５２は前記アプリケーション６００内に含まれることができる。この場合、前記ＤＲＭモジュール６１では、前記キー計算部５１のＤＲＭ検出部から読み出されるＤＲＭ情報を前記保安認証チャネル７０を介して受信して保存した後、前記Ａ／Ｖデコーダー６０におけるデコーディング動作を制御したり、または前記保安認証チャネルを介して前記キー計算部５１の動作を制御して、光ディスクのデータ領域に暗号化して記録されたデータストリームが無制限に再生されたり不法複製されることを防止するようになる。
【００２５】
そして、前記アプリケーション内に含まれるＡ／Ｖデコーダー６０は、図５に示したように、光ディスクドライブ５００内に含まれることができる。この場合、前記光ディスクドライブでは、前記保安認証チャネル７０を介してアプリケーション６００でデコーディングが完了したオーディオ及びビデオデータを出力するようになるので、図４に示したように、オーディオ及びビデオのビットストリームをアプリケーションに直接伝送する場合に比べて、複写防止情報のハッキング危険性を減少させることができるようになる。
【００２６】
一方、前記のようにキーロッカー内にディスクキーとＤＲＭ情報が共に記録されて光ディスクの特定領域にヒドン・コードが記録される光ディスクは、１回記録可能な光ディスクまたは再記録可能な光ディスクになることができる。
【００２７】
図６に示したように、インターネットを介して提供する多様なコンテンツのデータファイルのヘッダー（Ｈｅａｄｅｒ）には、複写許容可否を指定するための複写フラッグ（Ｃｏｐｙ_Ｆｌａｇ）、複写回数を指定するための複写回数情報（Ｎｕｍｂｅｒ  ｏｆ  ｃｏｐｙ  ｔｉｍｅｓ）、そして再生許容時間を指定するための再生時間情報（Ｐｌａｙ  ｂａｃｋ  ｔｉｍｅ）等が含まれることができる。
【００２８】
そして、前記光ディスクドライブ５００では、インターネットを介して受信されるデータファイル（Ｄａｔａ  Ｆｉｌｅ  ＃１、＃２．．）を光ディスクのデータ領域に記録すると共に、各データファイルのヘッダーに含まれるＤＲＭ情報（ＤＲＭ  ＃１、＃２．．）を光ディスクのキーロッカー内にデータファイル別にそれぞれ区分して記録するようになる。
【００２９】
前記複写防止情報とヒドン・コードは光ディスクを製造過程であらかじめ記録されることであって、前記データファイルは複写防止情報により暗号化した後光ディスクのデータ領域に記録される。参考に、前記キーロッカーに含まれるディスクキー等もヒドン・コードのようにリードイン領域上に低周波成分を有する物理的なウォーブル形状またはＷｏｂｂｌｅ  ｐｒｅ−ｐｉｔ  ｔｙｐｅで記録されることができる。この時ＤＲＭ情報は前記キーロッカー内のＲｅｃｏｒｄａｂｌｅ  Ａｒｅａ  ｏｒ  Ｒｅｗｒｉｔａｂｌｅ  Ａｒｅａ内のＷｏｂｂｌｅｄ  ｔｒａｃｋに沿ってＰｉｔ形態で記録される。一方、前記光ディスクドライブ５００では、光ディスクの再生及び複写動作を遂行するようになる場合、前記キーロッカー内に記録されるＤＲＭ情報を更新する動作を遂行するようになる。
【００３０】
前記光ディスクドライブ５００では、前記のような過程を介してデータファイルとＤＲＭ情報が更新記録された光ディスクに対して、前記ＤＲＭ情報と一致する再生及び複写動作を制限的に遂行する。したがって、光ディスクに記録されたデータファイルが無制限再生されたり不法複製されることを防止することができるようになる。
【００３１】
前記のように構成される本発明は、複写防止情報に対する保安性が向上して、インターネットを介して伝送するコンテンツが不法で複製されることを防止して、デジタル著作権管理情報が含まれたコンテンツの再生と複写を制御する効果がある。
【００３２】
以上前述した本発明の望ましい実施形態は例示の目的のために開示されたものであって、当業者ならば添付された特許請求範囲に開示された本発明の技術的思想とその技術的範囲内でまた他の多様な実施形態を改良、変更、代替または付加などが可能であることである。
【図面の簡単な説明】
【００３３】
【図１】一般的なＤＶＤの複写防止情報管理方法が適用される光ディスクドライブとアプリケーションに対する構成を示したものである。
【図２】本発明による記録媒体の複写防止情報管理方法が適用される光ディスクドライブに対する構成を示したものである。
【図３】本発明による記録媒体の複写防止情報管理方法が適用される光ディスクドライブに対する構成を示したものである。
【図４】本発明による記録媒体の複写防止情報管理方法が適用される光ディスクドライブとアプリケーションに対する他の実施形態の構成を示したものである。
【図５】本発明による記録媒体の複写防止情報管理方法が適用される光ディスクドライブとアプリケーションに対する他の実施形態の構成を示したものである。
【図６】本発明による記録媒体の複写防止情報管理方法によりデジタル著作権管理情報が管理される実施形態を示したものである。
【図１】
2006524409.tif 000003
【図２】
2006524409.tif 000004
【図３】
2006524409.tif 000005
【図４】
2006524409.tif 000006
【図５】
2006524409.tif 000007
【図６】
2006524409.tif 000008
【国際調査報告】
2006524409.tif 000009
2006524409.tif 000010